(57)【要約】【課題】サプリメントを効果的に購入できるシステムを提供する。【解決手段】分析組織の端末と、患者の端末と、製造組織の端末とよりなり、各端末をインターネットで接続したものである。分析組織の端末は、尿の分析結果データ、および不足しているビタミン、ミネラルなどの指摘、購入を推薦するサプリメント名を、患者の端末に送信する。患者の端末は、分析組織の端末からの、分析結果、不足しているビタミン、ミネラルなどの指摘、推薦するサプリメントの名称を受信し、表示する。製造組織の端末は、患者の端末からの情報を受信し、表示する機能を有する。【選択図】        図１
2007087192.tif 000002
【特許請求の範囲】
【請求項１】
分析組織の端末と、患者の端末と、製造組織の端末とよりなり、
各端末をインターネットで接続したものであって、
分析組織の端末は、尿の分析結果データ、および不足しているビタミン、ミネラルなどの指摘、購入を推薦するサプリメント名を、患者の端末に送信する機能と、
数ヶ月後に同一患者の氏名を選択して、採尿容器を発送する状況を患者の端末に送信する機能と、
時間を置いた複数回の分析結果を比較する機能と、
複数回の分析結果から、推薦するサプリメント名を修正し、患者の端末に送信する機能とを有し、
患者の端末は、分析組織の端末からの、分析結果、不足しているビタミン、ミネラルなどの指摘、推薦するサプリメントの名称を受信し、表示する機能と、
推薦されたサプリメントの中から希望するサプリメントを選択して、製造組織の端末に送信する機能とを有し、
製造組織の端末は、患者の端末からの情報を受信し、表示する機能を有することを特徴とする、
サプリメント購入システム。
【発明の詳細な説明】
【技術分野】
【０００１】
本発明は、サプリメント購入システムに関するものである。
【背景技術】
【０００２】
サプリメントを購入する場合、一般にはビタミン、ミネラルなどの不足を感じる人（以下「患者」という）自らが出版物で知った知識を基にして判断したり、あるいは薬局や医師の推薦にしたがってそれらの不足値を補正するための材料、いわゆるサプリメントを購入している。
【発明の開示】
【発明が解決しようとする課題】
【０００３】
しかし従来は患者自らが購入したサプリメントによってその後に身体条件が改善されたのか、あるいはあまり影響がなく無駄な摂取をしているのか、さらには偏った摂取によってかえって悪くなっているのか、その判断がなされていない。
【課題を解決するための手段】
【０００４】
上記のような課題を解決するために、本発明のサプリメント購入システムは、分析組織の端末と、患者の端末と、製造組織の端末とよりなり、各端末をインターネットで接続したものであって、分析組織の端末は、尿の分析結果データ、および不足しているビタミン、ミネラルなどの指摘、購入を推薦するサプリメント名を、患者の端末に送信する機能と、数ヶ月後に同一患者の氏名を選択して、採尿容器を発送する状況を患者の端末に送信する機能と、時間を置いた複数回の分析結果を比較する機能と、複数回の分析結果から、推薦するサプリメント名を修正し、患者の端末に送信する機能とを有し、患者の端末は、分析組織の端末からの、分析結果、不足しているビタミン、ミネラルなどの指摘、推薦するサプリメントの名称を受信し、表示する機能と、推薦されたサプリメントの中から希望するサプリメントを選択して、製造組織の端末に送信する機能とを有し、製造組織の端末は、患者の端末からの情報を受信し、表示する機能を有することを特徴とするサプリメント購入システムを特徴としたものである。
【発明の効果】
【０００５】
本発明のサプリメント購入システムは以上説明したようになるから、次のような効果を期待することができる。
＜１＞  定期的に採尿して返送することによって、サプリメントの摂取の影響を繰り返し知ることができ、無駄な摂取をすることがない。
＜２＞  患者は自分のもっとも最近の尿の分析を基に、自分だけに配合されたサプリメントを購入し摂取することができるから、常に最良の健康状態を維持することができる。
＜３＞  患者は、定期的に送られてくる採尿容器を返送するだけで健康状態の判断情報を得られるから、多忙な業務に従事している人でも、ほとんど時間的な負担を感じることなく、健康を維持することができる。
【発明を実施するための最良の形態】
【０００６】
以下図面を参照にしながら本発明の好適な実施の形態を、構成と手続きの順番にしたがって詳細に説明する。
【実施例】
【０００７】
＜１＞全体の構成。
分析組織の端末１と、患者の端末２と、製造組織の端末３とより構成する。
これらの端末をインターネット４によって接続してネットワークを構成する。
各端末間では、インターネット４を介して情報の交換があり、さらに情報の交換に応じて採尿容器５の移動がある。
【０００８】
＜２＞分析組織の端末１。
分析組織の端末１は、尿を分析する機能を備えている。
分析の方法としては例えばメタボローム解析を採用し、それによってビタミン、アミノ酸、ミネラル、腸内細菌などの過不足によって現れる低分子量の物質を定量することができる。
この分析結果から、その患者が日本人の平均値に比較して過不足があれば、その患者が補うべきサプリメントの特定、補うべき量までも決定することができる。
そして、この分析結果のデータや、不足しているビタミン、ミネラルなどの指摘、そして購入を推薦するサプリメント名を、患者端末２に送信する機能を有する。
さらに分析組織の端末１は、数ヶ月後に同一患者の氏名を選択して、採尿容器５を送付するデータを作成し、その患者に送付する機能を有する。
患者から採尿容器５が返送されてきた場合には、その組織の端末１は、その患者の端末２に対して、前回と比較した比較表をインターネット４を介して送信する機能を有する。
さらに分析組織の端末１は、複数回の分析結果から、その患者のビタミン、ミネラル、アミノ酸、腸内細菌などの過不足の状況の変化がわかるから、修正したサプリメント名をあげて推薦できる機能を有する。
【０００９】
＜３＞患者の端末２。
患者の端末２は、分析組織からインターネット４を介して送信された分析結果、不足しているビタミン、ミネラルなどの指摘、推薦されたサプリメントの名称などを表示する機能を有する。
患者はこれらの情報、すなわち推薦されたサプリメントの中から希望する特定のサプリメントを選択する。
そして患者の端末２は、患者の選択した特定のサプリメントの名称を、製造組織の端末３に送信する機能を有する。
【００１０】
＜４＞製造組織の端末３。
製造組織の端末３は、患者の端末２からの情報をインターネット４を介して受信する。
したがって製造組織の端末３は、特定の患者が購入を希望するサプリメントの名称の情報を得てその名称を表示する機能を有する。
【００１１】
＜５＞採尿容器５。
採尿容器５は、分析組織から患者宛に送付される。
この採尿容器５は簡単な筒状、ビン状の容器５であればどのような形状のものも利用できる。あるいは袋状のものも利用できる。
この容器５には、できるだけ尿の性質を変化させない溶液や薬品が封入され、あるいは塗布されていることが望ましい。
尿の性質を変化させない、とは低分子タンパク質をこわさない機能を備えた材料であり、公知のもとを利用できる。
【００１２】
＜６＞作動。
次に上記の各端末を利用し、インターネット４を介して行うシステムについて説明する。
【００１３】
＜７＞患者による容器５の発送。
健康状態の不調、あるいはビタミン、ミネラルなどの不足を感じる患者は、インターネット４を通じて分析組織の端末１にアクセスして採尿容器５を取り寄せる。
そして取り寄せた容器５を使用して採尿し、分析組織に発送する。
【００１４】
＜８＞分析組織。
分析組織は患者から受け取った尿を、所有する各種の装置を使用して分析する。分析には例えばメタボローム解析などの手法を採用するが、この解析手法に限定されるものではない。
分析した結果は特殊な数値の羅列であるからそのままでは専門家でない患者は理解することができない。
そこで健康人の分析結果から得た基準値と比較し、その比較した評価表を作成してインターネット４を介して患者の端末２に送信する。
この評価表において、患者の数値が日本人の平均値よりも一定値以上離れている場合、異常値として判断し、その改善が必要となる。
この異常がビタミン、ミネラルなどの不足である場合にはじめて本発明のシステムが機能することになり、その異常がサプリメントの補給で到底補えない場合、例えば手術を要する場合などは本発明のサプリメント購入システムの範囲外である。
患者の数値の異常が、サプリメントの補給で補える場合には、不足しているサプリメントを指摘して患者の端末２送信する。
不足しているサプリメントの指摘だけでは患者によっては入手の手段が不明な場合、あるいはわずらわしい場合があるので、分析組織としては購入すべきサプリメントの名称を推薦する。
【００１５】
＜９＞患者。
患者の端末２は、インターネット４を介して自分の尿検査による異常値を知り、さらに異常値を平常に戻すための必要なサプリメントの名称の推薦を受ける。
そこで推薦されたデータの中から購入希望サプリメントの名称を、インターネット４を介して製造組織の端末３に送信する。
【００１６】
＜１０＞製造組織。
製造組織の端末３は、インターネット４を介して患者からの情報を受信する。
製造組織では患者からの情報、すなわち分析組織が推薦し、指摘した配合にしたがってサプリメントを配合設計する。
そしてその患者だけに向けて配合したサプリメントを患者あてに発送する。
【００１７】
＜１１＞患者。
製造組織から発送された自分専用のサプリメントを、指定の用法にしたがって服用する。
【００１８】
＜１２＞分析組織。
分析組織は、前記のサプリメントの推薦の後、数ヵ月後に患者の端末２で通知するとともに、患者宛に採尿容器５を発送する。
この採尿容器５は、前記したように特に尿が変化させないために、低分子タンパク質を破壊しない薬品を封入してある容器５である。
【００１９】
＜１３＞患者。
患者は送られてきた上記の採尿容器５を使用して採尿し、分析組織宛に返送する。
【００２０】
＜１４＞分析組織。
分析組織は、患者から返送された尿を、所定の装置を利用して分析する。
そして分析した結果を、前回のデータと比較する。
前回のデータと比較することによって、患者のサプリメント摂取の成果を評価することができるから、その評価表をインターネット４を介し患者の端末２に送信する。
同時に、数値が改善されていれば、前回推薦したサプリメントがよい効果を与えたのであるから、それと同一、類似のサプリメントを推薦してインターネット４を介して患者の端末２に送信する。
もし、前回のデータと比較して数値が改善されていないのであれ、他のサプリメントを推薦する。
【００２１】
＜１５＞患者。
患者の端末２はインターネット４を介して前回と比較した評価表と、サプリメントの推薦を受ける。
また評価の結果、摂取すべきサプリメントが変更された場合には、インターネット４を介して修正されたサプリメントの推薦を受ける。
前回と同じサプリメント、あるいは推薦されたデータの中から購入を希望するサプリメントの名称を製造組織の端末３に送信する。
さらに前記と同様の工程で、購入したサプリメントを摂取している間に、再度、分析組織から採尿容器５が送付され、この容器５に採尿して分析組織に返送し、前記の手続きを繰り返す。
こうして、その患者の現状に最適なビタミン、ミネラル、アミノ酸、腸内細菌などの過不足を補う最適なサプリメントを摂取することができ、健康状態を改善してゆくことができる。
【図面の簡単な説明】
【００２２】
【図１】本発明のサプリメント購入システムの実施例の説明図
【符号の説明】
【００２３】
１：分析組織の端末
２：患者の端末
３：製造組織の端末
４：インターネット
５：採尿容器
【図１】
2007087192.tif 000003